(57)【特許請求の範囲】
【請求項１】
一定の軸力により、対象物を固定する軸力管理ボルト・ナットの取付け表示装置であって、
回転トルクを導入するヘッドと、対象物を締付け固定するネジカムと、前記軸力管理ボルト・ナットの取付け状態を表示する表示部とを有し、
前記表示部は、Ｔ型カラーと前記Ｔ型カラーの脚部とＯ型カラーとが一体に形成されて成り、
前記ネジカムは、前記Ｔ型カラーが嵌め込まれるＴ型溝を有し、前記ヘッドは、前記Ｔ型カラーの前記脚部が嵌め込まれる前記Ｔ型溝と同型の一条の溝を有し、
前記Ｔ型溝に前記Ｔ型カラーが嵌め込まれ、前記一条の溝に前記脚部が嵌め込まれ、前記Ｏ型カラーが前記ヘッドに嵌め込まれ、
前記ネジカムは、表面に凸状の第１のカムを有し、
前記ヘッドは、前記第１のカムと噛み合う凸状の第２のカムを有し、
前記第２のカムは、前記ヘッドが回転した際に、前記第１のカムを乗り越え、
前記脚部は、前記第２のカムが前記第１のカムを乗り越える際に、引き伸ばされて破断することを特徴とする軸力管理ボルト・ナットの取付け表示装置。
【請求項２】
前記表示部は、前記Ｔ型カラーと前記Ｔ型カラーの脚部と円盤型カラーとが一体に形成されて成ることを特徴とする請求項１に記載の軸力管理ボルト・ナットの取付け表示装置。
【請求項３】
前記表示部は、前記Ｔ型カラーと前記Ｔ型カラーの脚部と前記Ｏ型カラーと円盤型カラーと連結部とが一体に形成されて成り、
前記連結部は、前記Ｏ型カラーと円盤型カラーとを連結することを特徴とする請求項１に記載の軸力管理ボルト・ナットの取付け表示装置。
【発明の詳細な説明】
【技術分野】
【０００１】
本発明は、軸力管理ボルト・ナットの取付け表示装置に係り、より詳しくは、第３者による作業終了確認が容易で、且つ、初期不良の発生を解消できる、軸力管理ボルト・ナットの取付け表示装置に関する。
【背景技術】
【０００２】
軸力管理ボルト・ナットは、カムを具備し回転トルクを導入するヘッドと、対象物を締付け固定するネジカムとが分離しており、両者はカムにより連結されている。このヘッドとネジにより、ネジと座金間に具備されたバネが所定量締付けられると、連結されたカムが外れてヘッドが空転する状態となる。この時、バネの締付け量に応じた反発力が、ネジの軸力として発生し、この発生した一定の軸力により、対象物が固定される。
【０００３】
図５は、軸力管理ボルト・ナットの構成を示す軸力管理ボルト・ナット構成図である。図５ａにおいて、軸力管理ナットは、回転トルクを導入するヘッド５０と、対象物を締付け固定するネジカム５５と、ネジカム５５に反発力により軸力を発生する複数の皿バネ６０と、皿バネ６０をネジカム５５下の保持する座金６５と、ヘッド５０が空転状態となった時、アルミカバー７５を下方に引き寄せ、カムを噛み合わせ保持する戻しバネ７０と、前記各部品を絞り加工により包み込むアルミカバー７５とを有している。
【０００４】
図５ｂは、アルミカバー７５により包み込まれ、機能部品として構成された軸力管理ナットを示す。ネジカム５５は、ナットとして機能するための雌ネジ構造を有する。図５ｃは、アルミカバー７５により包み込まれ、機能部品として構成された軸力管理ボルトを示す。ネジカム５５は、ボルトとして機能するため、ネジカム５５に直結されたカム一体ボルト８５を有している。
【０００５】
つぎに、このような軸力管理ボルト・ナットが、確実に空転状態まで締め込まれ、作業が完了していることを示す表示装置について説明する。図６は、従来の軸力管理ナットの取付け表示装置Ｉの動作を示す動作図である。図６ａは、締付け前のヘッド５０と雌ネジが切られたネジカム５５のカムとが互いに噛み合った状態を示している。この時、赤色板９２は赤色板取付け治具９０に貼り付いている。
【０００６】
図６ｂにおいて、矢印方向にヘッド５０が回転し、ネジカム５５がボルト８０に捩じ込まれ、カムが互いに歯高の頂点で接触すると、赤色板９２は、ヘッド５０のエッジに当たり、赤色板取付け治具９０から離脱する。図６ｃにおいて、ヘッド５０とネジカム５５のカムは、戻しバネ７０により下方に引き寄せられ、噛み合わせを保持している。ヘッド５０は確実に空転状態まで締め込まれ、赤色板９２が無くなり、作業が完了した状態を示している。
【０００７】
図７は、従来の軸力管理ボルトの取付け表示装置IIの動作を示す動作図である。図７ａは、締付け前のヘッド５０とカム一体ボルト８５を具備するネジカム５５のカムとが互いに噛み合った状態を示している。この時、カムＡ９４とカムＢ９５も同様に噛み合っている。スタンプ９３は、ろ紙９１に着かないようにコイルバネ９６により離されている。
【０００８】
図７ｂにおいて、矢印方向にヘッド５０が回転し、ネジカム５５のカム一体ボルト８５が相手の雌ネジに捩じ込まれ、カムが互いに歯高の頂点で接触すると、カムＡ９４とカムＢ９５も同様に歯高の頂点で接触する。図７ｃにおいて、ヘッド５０とネジカム５５のカムは、戻しバネ７０により下方に引き寄せられ、噛み合わせを保持している。カムＡ９４とカムＢ９５はカムの幅が広いため持ち上がったままで、スタンプ９３は、ろ紙９１に付き白色から黒色に変わり、ヘッド５０が確実に空転状態まで締め込まれ、作業が完了した状態を示している。
【０００９】
図８は、従来の軸力管理ボルトの取付け表示装置IIIの動作を示す動作図である。図８ａは、締付け前のヘッド５０とカム一体ボルト８５を具備するネジカム５５のカムとが互いに噛み合った状態を示している。この時、ゲージシール９７のゲージ窓９８は、白色を表示している。図８ｂにおいて、矢印方向にヘッド５０が回転すると、ゲージ窓９８には赤色が表示され始め、ネジカム５５のカム一体ボルト８５が相手の雌ネジに捩じ込まれ、カムが互いに歯高の頂点で接触すると、ゲージ窓９８の半分が赤色表示となる。図８ｃにおいて、ヘッド５０とネジカム５５のカムは、戻しバネ７０により下方に引き寄せられ、噛み合わせ保持している。ゲージ窓９８の全域が赤色表示となり、ヘッド５０が確実に空転状態まで締め込まれ、作業が完了した状態を示している。
【００１０】
ところで、従来の取付け表示装置のいずれの場合も表示がヘッド５０上部で行われるため、第３者が、作業現場付近からヘッド５０上部を覗き込み、作業終了を確認することは困難なことから、作業終了確認は作業者に委ねられる場合があった。また、取付け施工前に表示機構が動作してしまう、または、脱落してしまう等の初期不良が生じるという問題があった。また、図６において、空転状態まで締め込まれても、赤色板９２が飛び出さず残留する、図７において、スタンプ９３が、ろ紙９１に十分に届かず、黒色に変化しない、図８において、ゲージ窓９８の全域が完全には赤くならない、等の動作不良の問題があった。
【００１１】
特許文献１には、回転部材の第２ラチェット基体の外面と、中間部との外面と、ケースの折曲端部の内面との間に空隙部を設定し、空隙部に第２の弾性部材を配置して、締付後にねじ軸方向に空隙部を広げるように付勢し、回転部材の締付部の上端部とケースの上端部との距離は、締付施工前に比べて施工後は小さくなる締付装置において、施工確認装置は中心穴と、本体部と、爪部と、を備え、中心穴は回転部材の周囲に、本体部は回転部材の締付部側のケースの外面に配置され、爪部は回転部材の凹部に係止させ、施工確認装置は、締付施工前には施工確認装置の爪部が回転部材の凹部に係止され、締付施工後には施工確認装置の爪部が回転部材の凹部から外れる構成についての記載がある。
【先行技術文献】
【特許文献】
【００１２】
【特許文献１】特開２０１０−２８６０７７号公報
【発明の概要】
【発明が解決しようとする課題】
【００１３】
本発明は、このような問題を解決するためになされたものであり、その目的は、第３者による作業終了確認が容易で、且つ、初期不良の発生を解消できる、軸力管理ボルト・ナットの取付け表示装置を提供する。
【課題を解決するための手段】
【００１４】
本発明の軸力管理ボルト・ナットの取付け表示装置は、一定の軸力により、対象物を固定する軸力管理ボルト・ナットの取付け表示装置であって、回転トルクを導入するヘッドと、対象物を締付け固定するネジカムと、軸力管理ボルト・ナットの取付け状態を表示する表示部とを有し、表示部は、Ｔ型カラーとＴ型カラーの脚部とＯ型カラーとが一体に形成されて成り、ネジカムは、Ｔ型カラーが嵌め込まれるＴ型溝を有し、ヘッドは、Ｔ型カラーの脚部が嵌め込まれるＴ型溝と同型の一条の溝を有し、Ｔ型溝にＴ型カラーが嵌め込まれ、一条の溝に脚部が嵌め込まれ、Ｏ型カラーがヘッドに嵌め込まれ、ネジカムは、表面に凸状の第１のカムを有し、ヘッドは、第１のカムと噛み合う凸状の第２のカムを有し、第２のカムは、ヘッドが回転した際に、第１のカムを乗り越え、脚部は、第２のカムが第１のカムを乗り越える際に、引き伸ばされて破断することを特徴とする。
【００１５】
本発明の軸力管理ボルト・ナットの取付け表示装置の表示部は、Ｔ型カラーとＴ型カラーの脚部と円盤型カラーとが一体に形成されて成ることを特徴とする。
【００１６】
本発明の軸力管理ボルト・ナットの取付け表示装置の表示部は、Ｔ型カラーとＴ型カラーの脚部とＯ型カラーと円盤型カラーと連結部とが一体に形成されて成り、連結部は、Ｏ型カラーと円盤型カラーとを連結することを特徴とする。
【発明の効果】
【００１７】
本発明によれば、第３者による作業終了確認が容易で、且つ、初期不良の発生を解消できる、軸力管理ボルト・ナットの取付け表示装置を提供することができる。
【図面の簡単な説明】
【００１８】
【図１】本発明による軸力管理ボルト・ナットの取付け表示装置を示す装置構成図。
【図２】第１の実施例による軸力管理ボルト・ナットの取付け表示装置の動作図。
【図３】第２の実施例による軸力管理ボルト・ナットの取付け表示装置の動作図。
【図４】第３の実施例による軸力管理ボルト・ナットの取付け表示装置の動作図。
【図５】軸力管理ボルト・ナットの構成を示す軸力管理ボルト・ナット構成図。
【図６】従来の軸力管理ナットの取付け表示装置Ｉの動作を示す動作図。
【図７】従来の軸力管理ボルトの取付け表示装置IIの動作を示す動作図。
【図８】従来の軸力管理ボルトの取付け表示装置IIIの動作を示す動作図。
【発明を実施するための形態】
【実施例】
【００１９】
本発明の実施の形態について、図を用いて説明する。図１は、本発明の第１の実施例における軸力管理ボルト・ナットの取付け表示装置を示す装置構成図である。図１ａは、本発明の取付け表示装置の回転トルクを導入するヘッド１０と、対象物を締付け固定するネジカム２０との構造を示している。
【００２０】
基本的構造は、図５において説明した回転トルクを導入するヘッド５０、及び対象物を締付け固定するネジカム５５と同じであるが、ヘッド１０とネジカム２０とは、つぎに説明するそれぞれ特有の溝を有するところが異なっている。ネジカム２０が、ナットとして機能するための雌ネジ構造を有するか、又は、ボルトとして機能するためのネジカム２０に直結されたカム一体ボルト（図示せず）を有していることは、図５の場合と同様である。
【００２１】
図１ｂは、ヘッドとネジカムとの溝を示す溝構造図である。ネジカム２０は、つぎに説明するＴ型カラーが嵌め込まれるＴ型溝２５を有し、ヘッド１０は、Ｔ型カラーの脚部が嵌め込まれるＴ型溝と同型の一条の溝１５を有している。
【００２２】
図１ｃは、本発明の取付け表示装置の表示部を示す表示部の構成図である。図１ｃにおいて、表示部３０は、Ｔ型カラー３２とＯ型カラー３６とが、脚部３４により一体に連結されて形成されている。このため、表示部３０は、樹脂等の射出によりモールド形成されることが望ましい。
【００２３】
この表示部３０は、Ｔ型カラー３２の部分がＴ型溝２５に嵌め込まれ、脚部３４が一条の溝１５に嵌め込まれ、Ｏ型カラー３６がヘッド１０に嵌め込まれて装着され、図５ｂ又は図５ｃの状態に組み込まれ、軸力管理ボルト又は軸力管理ナットとして構成される。Ｏ型カラー３６の内側の形状は、ヘッド１０への嵌め込みにおいて、図１ｃにように円形をしたリング形状でも良いし、ヘッド１０の外形に嵌合する六角形でも良い。
【００２４】
つぎに、本発明による軸力管理ボルト・ナットの取付け表示装置の動作について説明する。図２は、第１の実施例による軸力管理ボルト・ナットの取付け表示装置の動作図である。図２ａは、締付け前のヘッド１０のカムと雌ネジが切られたネジカム２０のカムとが互いに噛み合った状態を示している。この時、表示部３０は、Ｔ型カラー３２の部分がＴ型溝２５に嵌め込まれ、脚部３４の部分が一条の溝１５に嵌め込まれ、Ｏ型カラー３６がヘッド１０に嵌め込まれて装着されている。
【００２５】
図２ｂにおいて、矢印方向にヘッド１０が回転し、ネジカム２０がボルト８０に捩じ込まれ、カムが互いに歯高の頂点で接触すると、表示部３０の脚部３４の部分は大きく引き伸ばされ、図２ｃにおいて、カムを乗り越える時点で、脚部３４は伸びの限界値を超えて破断する。ヘッド１０とネジカム２０のカムは、戻しバネ７０により下方に引き寄せられ、噛み合わせを保持している。
【００２６】
このように、従来と同様に、カムを乗り越えたときが作業終了点であることを満足すると共に、第３者が、作業現場付近から表示部３０の破断を確認できるため、視認性が向上する。また、作業者が、破断したＯ型カラー３６を回収することにより、より確実に作業終了を確認することができる。また、取付け施工前の表示部３０は、図５ｂ又は図５ｃの状態にアルミカバー７５により組み込まれているため、脱落してしまう等の初期不良が生じるという問題が解消されると共に、カムを乗り越える時点で、脚部３４は確実に破断するため、動作不良の問題を解消することができる。
【００２７】
図３は、第２の実施例による軸力管理ボルト・ナットの取付け表示装置の動作図である。図３ａにおいて、締付け前のヘッド１０のカムと雌ネジが切られたネジカム２０のカムとが互いに噛み合った状態を示している。この時、Ｔ型カラー３２、脚部３４、円盤型カラー４０から構成される表示部３０は、Ｔ型カラー３２の部分がＴ型溝２５に嵌め込まれ、脚部３４の部分が一条の溝１５に嵌め込まれている。円盤型カラー４０は一条の溝１５の端部とアルミカバー７５のエッジ部分からヘッド１０に対向して立ち上がっている。
【００２８】
図３ｂにおいて、矢印方向にヘッド１０が回転し、ネジカム２０がボルト８０に捩じ込まれ、カムが互いに歯高の頂点で接触すると、表示部３０の脚部３４の部分は大きく引き伸ばされ、図３ｃにおいて、カムを乗り越える時点で、脚部３４は伸びの限界値を超えて破断する。ヘッド１０とネジカム２０のカムは、戻しバネ７０により下方に引き寄せられ、噛み合わせを保持している。
【００２９】
このように、従来と同様に、カムを乗り越えたときが作業終了点であることを満足すると共に、第３者が、作業現場付近から表示部３０の破断を確認できるため、視認性が向上する。また、作業者が、破断した円盤型カラー４０を回収することにより、より確実に作業終了を確認することができる。また、取付け施工前の表示部３０は、図５ｂ又は図５ｃの状態にアルミカバー７５により組み込まれているため、脱落してしまう等の初期不良が生じるという問題が解消されると共に、カムを乗り越える時点で、脚部３４は確実に破断するため、動作不良の問題を解消することができる。
【００３０】
図４は、第３の実施例による軸力管理ボルト・ナットの取付け表示装置の動作図である。図４ａにおいて、締付け前のヘッド１０のカムと雌ネジが切られたネジカム２０のカムとが互いに噛み合った状態を示している。この時、Ｔ型カラー３２、脚部３４、Ｏ型カラー３６、連結部４２、円盤型カラー４０から成る表示部３０は、Ｔ型カラー３２の部分がＴ型溝２５に嵌め込まれ、脚部３４の部分が一条の溝１５に嵌め込まれ、Ｏ型カラー３６がヘッド１０に嵌め込まれ、円盤型カラー４０はフリー状態でヘッド１０に対向して立ち上がっている。
【００３１】
図４ｂにおいて、矢印方向にヘッド１０が回転し、ネジカム２０がボルト８０に捩じ込まれ、カムが互いに歯高の頂点で接触すると、表示部３０の脚部３４の部分は大きく引き伸ばされ、図４ｃにおいて、カムを乗り越える時点で、脚部３４は伸びの限界値を超えて破断する。ヘッド１０とネジカム２０のカムは、戻しバネ７０により下方に引き寄せられ、噛み合わせを保持している。
【００３２】
このように、従来と同様に、カムを乗り越えたときが作業終了点であることを満足すると共に、第３者が、作業現場付近から表示部３０の破断を確認できるため、視認性が向上する。また、作業者が、破断したＯ型カラー３６、連結部４２、円盤型カラー４０の一体を回収することにより、より確実に作業終了を確認することができる。また、取付け施工前の表示部３０は、図５ｂ又は図５ｃの状態にアルミカバー７５により組み込まれているため、脱落してしまう等の初期不良が生じるという問題が解消されると共に、カムを乗り越える時点で、脚部３４は確実に破断するため、動作不良の問題を解消することができる。
【００３３】
以上説明した通り、本発明による軸力管理ボルト・ナットの取付け表示装置の表示部は、軸力管理ボルト又は軸力管理ナットとして一体化してアルミカバーに組み込まれるため、使用前に動作する、又は脱落するといった初期不良を解消することができる。また、捩じ込み後のカムを乗り越えた作業終了点において、脚部が確実に破断されるため、表示装置の動作不良の問題を解消することができる。これにより、第３者が、作業現場付近から表示部３０の破断を確認できるため、視認性が向上し、作業者が、破断した一体部分を回収することにより、より確実に作業終了を確認することができる。これらのことより、初期不良、動作不良の発生を解消すると共に、視認性が向上した、第３者による作業終了確認が容易となる軸力管理ボルト・ナットの取付け表示装置を提供することが可能となる。
【符号の説明】
【００３４】
１０  ヘッド
１５  一条のスリット
２０  ネジカム
２５  Ｔ型スリット
３０  表示部
３２  Ｔ型カラー
３４  脚部
３６  Ｏ型カラー
４０  円盤型カラー
４２  連結部
５０  ヘッド
５５  ネジカム
６０  皿バネ
６５  座金
７０  戻しバネ
７５  アルミカバー
８５  カム一体ボルト
９０  赤色板取付け治具
９１  ろ紙
９２  赤色板
９３  スタンプ
９４  カムＡ
９５  カムＢ
９６  コイルバネ
９７  ゲージシール
９８  ゲージ窓
９９  ゲージ
１００  本発明の取付け表示装置
【図１】
0005811354.tif 000002
【図２】
0005811354.tif 000003
【図３】
0005811354.tif 000004
【図４】
0005811354.tif 000005
【図５】
0005811354.tif 000006
【図６】
0005811354.tif 000007
【図７】
0005811354.tif 000008
【図８】
0005811354.tif 000009